(57)【要約】本発明は，陶磁器瓶の入口にネジ山を形成し，予めネジ山が形成されたプラスチック栓で陶磁器瓶の入口を止められるプラスチック栓を用いる陶磁器及び陶磁器瓶の入口にネジ山を形成するための製造方法に関する。このような本発明は，じょうご状石膏枠の注入口下部に結合手段を設置し，上記結合手段に，ネジ山が形成されたネジパイプを結合した後，上記ネジパイプが陶磁器瓶の入口に位置する陶磁器瓶を製作し，製作された陶磁器瓶の入口にネジパイプを締めた状態で焼成すると，熱によりネジパイプが完全焼却することで，陶磁器瓶の入口内側に形成されるネジ山を利用して，プラスチック栓で陶磁器瓶の入口を密封させられる。
2006505456.tif 000002
【特許請求の範囲】
【請求項１】
陶磁器瓶（１）の入口（６）内側にネジ山（１１）を形成し，
前記陶磁器瓶（１）の入口を封止するプラスチック栓（１６）にもネジ山（１５）を形成し，
前記プラスチック栓（１６）の前記ネジ山（１５）を前記入口（６）の前記ネジ山（１１）に結合することにより，前記プラスチック栓（１６）で前記陶磁器瓶（１）の前記入口（６）を密封する，
ことを特徴とするプラスチック栓用陶磁器瓶。  
【請求項２】
前記プラスチック栓（１６）の下部に，シリコンパッキング（１７）を配置して，前記陶磁器瓶（１）と前記プラスチック栓（１６）との間にシリコンパッキング（１７）により密封を保証する，
ことを特徴とする請求項１記載のプラスチック栓用陶磁器瓶。  
【請求項３】
じょうご状石膏枠（５）の注入口（４）下部に形成された結合手段に，ネジパイプ（１４）を結合する過程と，
前記ネジパイプ（１４）が結合された前記じょうご状石膏枠（５）を，石膏枠（２）（３）の上部に載せて土水を注入する過程と，
石膏枠（２）（３）とネジパイプ（１４）の間に，陶磁器瓶（１）の厚さが形成されると土水を排出する過程と，
前記石膏枠（２）（３）と前記じょうご状石膏枠（５）を分離して，前記陶磁器瓶（１）の前記入口（６）に前記ネジパイプ（１４）が挟まれるようにする過程と，
前記ネジパイプ（１４）が挟まれた前記陶磁器瓶（１）を焼成して，前記陶磁器瓶（１）の前記入口（６）内側で前記ネジ山（１１）を形成する過程と，からなる，
ことを特徴とするプラスチック栓用陶磁器瓶の製造方法。  
【請求項４】
前記結合手段は，結合パイプ（１２）あるいは結合突起（１３）から構成されており，前記ネジパイプ（１４）を結合分離する，
ことを特徴とする請求項３に記載のプラスチック栓用陶磁器瓶製造方法。  
【請求項５】
前記ネジパイプ（１４）は，前記陶磁器瓶（１）の焼成過程で焼却できるように，プラスチック，樹脂またはでんぷんを利用して製作される，
ことを特徴とする請求項３記載のプラスチック栓用陶磁器瓶の製造方法。
【発明の詳細な説明】
【技術分野】
【０００１】
本発明は，陶磁器瓶の入口にネジ山を形成し，ネジ山が形成されたプラスチック栓が陶磁器瓶の入口を封止するプラスチック栓用の陶磁器瓶，及び陶磁器瓶の入口にネジ山を形成する製造方法に関する。
【背景技術】
【０００２】
本発明は，陶磁器瓶の入口にネジ山を形成するために使用され，陶磁器瓶の入口にネジ山を形成することにより，ネジ山が形成されたプラスチック栓が陶磁器瓶の入口を封止するプラスチック栓用の陶磁器瓶の入口にネジ山を形成する製造方法に関する。
【０００３】
既存の陶磁器瓶を生産するためには，図１あるいは図２に示すように，左右に二分化し，内側は陶磁器瓶（１）の外形と同一に作られた石膏枠（２）（３）を結合する必要がある。
【０００４】
さらに，上記石膏枠（２）（３）の上部に結合される。
【０００５】
じょうご状の注入口（４）が形成されるじょうご状石膏枠（５）は，石膏枠（２）（３）が組み立てられた状態で，上部にじょうご状石膏枠（５）が組み立てられて形成される。その後，上記注入口（４）を介して石膏枠（２）（３）内部に土水（ｓｌｉｐ）が満たされる。一定時間経過後，石膏枠（２）（３）の内部に陶磁器瓶（１）が一定厚さで形成される。上記陶磁器瓶（１）の厚さが所望の厚さに形成されると，全体をひっくり返し，石膏枠（２）（３）に満たされた土水を排出させる。一定時間経過後，じょうご状石膏枠（５）と石膏枠（２）（３）を除去し，陶磁器瓶（１）を焼成させる。したがって，陶磁器瓶（１）を製作するスリップキャスティング（ｓｌｉｐ  ｃａｓｔｉｎｇ）方法が使用される。
【０００６】
上記スリップキャスティング方法で製造された陶磁器瓶（１）は，入口（６）の内側が滑らかに形成されるため，上記入口（６）を封止するためにはコルク（７）を使用する。  
【発明の開示】
【発明が解決しようとする課題】
【０００７】
上記コルク（７）は天然木皮であるため，多孔性で折れやすく，コルク栓の一側を陶磁器あるいはプラスチックの蓋（８）に付着させて使用しなければならない。しかしながら，コルク（７）を蓋（８）に付ける過程が複雑で非衛生的であるとの問題がある。  
【０００８】
また，コルク（７）を使用する場合には，コルクの特性上気密性が低下し，外観を綺麗に処理することが困難で，一度使用されたコルク（７）は再使用が難しい。
【課題を解決するための手段】
【０００９】
本発明は，陶磁器瓶の入口にネジ山を形成するために使用され，陶磁器瓶の入口にネジ山を形成することにより，ネジ山が形成されたプラスチック栓が陶磁器瓶の入口を封止するプラスチック栓用の陶磁器瓶の入口にネジ山を形成する製造方法に関する。
【００１０】
既存の陶磁器瓶を生産するためには，図１あるいは図２に示すように，左右に二分化し，内側は陶磁器瓶（１）の外形と同一に作られた石膏枠（２）（３）を結合する必要がある。さらに，上記石膏枠（２）（３）の上部に結合される。じょうご状の注入口（４）が形成されるじょうご状石膏枠（５）は，石膏枠（２）（３）が組み立てられた状態で，上部にじょうご状石膏枠（５）が組み立てられて形成される。その後，上記注入口（４）を介して石膏枠（２）（３）内部に土水（ｓｌｉｐ）が満たされる。一定時間経過後，石膏枠（２）（３）の内部に陶磁器瓶（１）が一定厚さで形成される。
【００１１】
上記陶磁器瓶（１）の厚さが所望の厚さに形成されると，全体をひっくり返し，石膏枠（２）（３）に満たされた土水を排出させる。一定時間経過後，じょうご状石膏枠（５）と石膏枠（２）（３）を除去し，陶磁器瓶（１）を焼成させる。したがって，陶磁器瓶（１）を製作するスリップキャスティング（ｓｌｉｐ  ｃａｓｔｉｎｇ）方法が使用される。
【００１２】
上記スリップキャスティング方法で製造された陶磁器瓶（１）は，入口（６）の内側が滑らかに形成されるため，上記入口（６）を封止するためにはコルク（７）を使用する。  
【００１３】
上記コルク（７）は天然木皮であるため，多孔性で折れやすく，コルク栓の一側を陶磁器あるいはプラスチックの蓋（８）に付着させて使用しなければならない。しかしながら，コルク（７）を蓋（８）に付ける過程が複雑で非衛生的であるとの問題がある。  
【００１４】
また，コルク（７）を使用する場合には，コルクの特性上気密性が低下し，外観を綺麗に処理することが困難で，一度使用されたコルク（７）は再使用が難しい。
【発明の効果】
【００１５】
本発明は，陶磁器瓶の入口にネジ山を形成し，本体にネジ山が形成されたプラスチック栓で密封することで，陶磁器瓶の密封を保証でき，輸入コルクを使用しないため輸入減少効果が得られ，プラスチック栓の密封作業の自動化により生産性を向上できる。  
そして，本発明は生産性向上と共に原価節約が可能となり，開封後数回再使用可能になる。  
【発明を実施するための最良の形態】
【００１６】
本発明は，以下の添付図面を参照して，好適な実施形態により詳細に説明される。
【００１７】
本発明は，陶磁器瓶の製造時，陶磁器瓶の入口内側にネジ山を形成する。プラスチック栓には外側にネジ山を形成し，陶磁器瓶の入口をプラスチック栓で密封するものである。  
【００１８】
本発明は，以下の過程から達成される。；じょうご状石膏枠の注入口下部に結合手段を設置し；上記結合手段にネジ山が形成されたネジパイプを結合し；その後，上記ネジパイプが陶磁器瓶の入口に位置するよう陶磁器瓶を製作し；製作された陶磁器瓶の入口にネジパイプを締めたまま焼成させることで陶磁器瓶の入口内側でネジ山を形成し，ネジ山を使用して，プラスチック栓で陶磁器瓶の入口を密封する。  
【００１９】
本発明は，スリップキャスティング方法で製造される陶磁器瓶（１）の入口（６）にネジ山（１１）を形成し，ネジ山（１５）が形成されたプラスチック栓（１６）で陶磁器瓶（１）の入口（６）を，ネジで締めること方式で密封するものである。  
【００２０】
本発明の陶磁器瓶（１）は，入口（６）の内側にネジ山（１１）を形成し，上記陶磁器瓶（１）の入口（６）を封止するプラスチック栓（１６）にもネジ山（１５）を形成し，ネジ山（１１）（１５）の結合により，プラスチック栓（１６）が陶磁器瓶（１）の入口（６）を封止するように構成される。  
【００２１】
ここで，陶磁器瓶（１）に形成されるネジ山（１１）とプラスチック栓（１６）のネジ山（１５）は，プラスチック栓（１６）を回すと，互いに結合されたり，結合が解除されたりする。プラスチック栓（１６）を封止する時は，陶磁器瓶（１）は，密封される。  
【００２２】
陶磁器瓶（１）とプラスチック栓（１６）の密封が完璧に行われない場合は，プラスチック栓（１６）の下部にシリコンパッキング（１７）を設置する。つまり，陶磁器瓶（１）とプラスチック栓（１６）の間に，シリコンパッキング（１７）を位置することで，より確実な密封が行われるようにする。  
【００２３】
本発明のプラスチック栓用陶磁器瓶製造方法は，じょうご状石膏枠（５）の注入口（４）下部に設置された結合手段に，ネジパイプ（１４）を結合する過程と，上記ネジパイプ（１４）が結合されたじょうご状石膏枠（５）を，石膏枠（２）（３）の上部に載せて土水を注入する過程と，石膏枠（２）（３）とネジパイプ（１４）の間に，陶磁器瓶（１）の厚さが形成されると土水を注ぐ過程と，上記陶磁器瓶（１）が固まれば石膏枠（２）（３）とじょうご状石膏枠（５）を分離して，陶磁器瓶（１）の入口（６）にネジパイプ（１４）が挟まれるようにする過程と，ネジパイプ（１４）が挟まれた陶磁器瓶（１）を焼成して，陶磁器瓶（１）の入口（６）にネジ山（１１）を形成する過程を通して行われる。
【００２４】
じょうご状石膏枠（５）は，内部にじょうご状の注入口（４）が形成され，上記注入口（４）の下側に結合手段が設置される。上記結合手段は，結合パイプ（１２）と結合突起（１３）で形成されている。結合パイプ（１２）が，じょうご状石膏枠（５）に設置されている場合には，ネジパイプ（１４）が，結合パイプ（１２）に外側より挿入結合され，結合突起（１３）がじょうご石膏枠（５）に設置されている場合は，ネジパイプ（１４）に形成された結合溝（１８）に挟まれて結合される。
【００２５】
本発明の結合手段は，上記の結合パイプ（１２）または結合突起（１３）以外にも用いることができるが，基本的にはネジパイプ（１４）を着脱可能な構造であればよい。本発明のネジパイプ（１４）は，プラスチック，樹脂，でんぷん等，熱が加えられると焼却される材質で，陶磁器瓶（１）の焼成過程でネジパイプ（１４）が焼却されてなくなるようにする。  
【００２６】
以下に，本発明にかかる陶磁器瓶（１）製造過程を示す。  
【００２７】
まず，石膏枠（２）（３）を組み立てる過程は，既存のスリップキャスティング方法と同一である。本発明において，じょうご状石膏枠（５）の下部に結合手段を設置し，ネジパイプ（１４）を結合する。
【００２８】
じょうご状石膏枠（５）の下部に結合パイプ（１２）が形成されている場合は，ネジパイプ（１４）を締めて，回転結合する。じょうご状石膏枠（５）の下部に結合突起（１３）が形成されている場合には，ネジパイプ（１４）の結合溝（１８）に締めて，少し回転すると結合できる。  
【００２９】
じょうご状石膏枠（５）の下部の結合手段により，ネジパイプ（１４）が結合されると，上記ネジパイプ（１４）が石膏枠（２）（３）の内部に位置するよう，じょうご状石膏枠（５）の設置する。その後，上記じょうご状石膏枠（５）の注入口（４）を通じて，土水を石膏枠（２）（３）内部に注入する。  
【００３０】
石膏枠（２）（３）とじょうご状石膏枠（５）の内部に土水を詰めると，一定時間が経過後に，一定厚さの陶磁器瓶（１）が形成される。石膏枠（２）（３）の内部で陶磁器瓶（１）の所望の厚さが形成されるために必要な時間が経過すると，石膏枠（２）（３）をひっくり返し，石膏枠（２）（３）に詰められた土水を排出する。  
【００３１】
石膏枠（２）（３）に詰められた土水を排出すると，再び石膏枠（２）（３）を元の位置に戻した後，じょうご状石膏枠（５）の結合手段を解除し，ネジパイプ（１４）を分離し，じょうご状石膏枠（５）を取り除き，石膏枠（２）（３）を分離する。
【００３２】
このとき，陶磁器瓶（１）の入口（６）にネジパイプ（１４）が挟まれた状態で，陶磁器瓶（１）が形成され，乾燥と焼成過程を経て完全な陶磁器瓶（１）になる。
【００３３】
上記の陶磁器瓶（１）の入口（６）に，ネジパイプ（１４）が挟まれている状態で，焼成過程を経ると，熱により，ネジパイプ（１４）が完全に焼却されなくなる。
【００３４】
このとき，陶磁器瓶（１）の入口（６）に，ネジパイプ（１４）の外径と一致するネジ山（１１）が形成され，またネジパイプ（１４）も一定サイズに製作される。
【００３５】
このように，入口（６）にネジ山（１１）が形成された陶磁器瓶（１）が完成されると，プラスチック栓（１６）にネジ山（１５）を形成し，ネジ山（１１）（１５）同士で結合する。このことにより，陶磁器瓶（１）の入口（６）をプラスチック栓（１６）で封止する。
【００３６】
ここで，プラスチック栓（１６）で陶磁器瓶（１）の密封が確実に行われるが，それでも安心できない時には，シリコンパッキング（１７）を陶磁器瓶（１）の上部にプラスチック栓（１６）で密着することにより，より完全に密封することができる。
【００３７】
上記のように陶磁器瓶（１）の入口（６）にネジ山（１１）を形成し，プラスチック栓（１６）をネジ締め方式で封止することは，陶磁器瓶（１）だけに限定されない。入口が広い陶磁器容器および製品またはセラミック容器および製品にも適用することができる。  
【図面の簡単な説明】
【００３８】
本発明の上記観点及び他の特徴は，添付図面を参照して，以下で説明する。
【図１】図１は，既存の陶磁瓶製作を示す断面図。
【図２】図２は，既存の陶磁瓶成形状態説明図。
【図３】図３は，既存陶磁瓶の栓を閉めた状態の断面図。
【図４】図４は，本発明のじょうご状石膏枠斜視図。
【図５】図５は，本発明のじょうご状石膏枠組み立て状態断面図。
【図６】図６は，本発明のじょうご状石膏枠でネジパイプを分離する状態断面図。
【図７】図７は，本発明のネジパイプが挟まれた状態の断面図。
【図８】図８は，本発明の陶磁器瓶でネジパイプが焼却された状態の断面図。
【図９】図９は，本発明のプラスチック栓を防いだ状態の断面図。
【図１０】図１０は，本発明の結合手段の実施例正面図。
【符号の説明】
【００３９】
１：陶磁器瓶  ２，３：石膏枠
５：じょうご状石膏枠  ６：入口
１１，１５：ネジ山  １４：ネジパイプ
１６：プラスチック栓
【図１】
2006505456.tif 000003
【図２】
2006505456.tif 000004
【図３】
2006505456.tif 000005
【図４】
2006505456.tif 000006
【図５】
2006505456.tif 000007
【図６】
2006505456.tif 000008
【図７】
2006505456.tif 000009
【図８】
2006505456.tif 000010
【図９】
2006505456.tif 000011
【図１０】
2006505456.tif 000012
【国際調査報告】
2006505456.tif 000013
2006505456.tif 000014